(57)【特許請求の範囲】
【請求項１】
所定の広域範囲で放送される広域放送サービスと、前記所定の広域範囲内のエリアにおいて、所定のチャンネルでエリア別のエリア放送サービスとが実施されている放送システムにおいて、
前記エリアにおいて、所定のチャンネルで前記エリア放送サービスを送出する送出装置と、
前記各エリアの送出装置が送出するエリア放送サービスのチャンネル情報と、前記各エリアの位置情報とを関連付け記憶するエリア放送サービスデータベースと、
前記広域放送サービスにおいて、前記エリア放送サービスのチャンネル情報及び位置情報と、各エリアで広域放送サービスを受信している受信機が取得した位置情報に基づいて、そのエリアで視聴できるエリア放送サービスを選別するフィルタリングの機能とを含むエリア放送サービスへの遷移情報を、データ放送に含めて送出する広域放送サービス送出装置と、
前記広域放送サービスを受信し、取得した現在位置情報に基づいて、前記遷移情報から現在位置で視聴可能なエリア放送サービスをフィルタリングし、前記現在位置で視聴可能なエリア放送サービスへの遷移をさせるための表示を行う受信機と
を有し、
前記送出装置は、チャンネルスキャンにより空きチャンネルを検出する空きチャンネル検出手段を有し、
前記広域放送サービス送出装置は、各エリアの送出装置で検出された空きチャンネルに基づいて、複数のエリアで共通に使用される共通チャンネルを決定する共通チャンネル決定手段を有し、
前記送出装置は、前記共通チャンネル決定手段で決定された共通チャンネルで、エリア放送サービスを行う
放送システム。
【請求項２】
前記送出装置は、広域放送サービスへの遷移情報を、エリア放送サービスのデータ放送に含めて送信する
請求項１に記載の放送システム。
【請求項３】
所定の広域範囲で放送される広域放送サービスと、前記所定の広域範囲内のエリアにおいて、所定のチャンネルでエリア別のエリア放送サービスとが実施されている放送システムにおける放送方法において、
前記広域放送サービスの送出装置は、前記エリア放送サービスのチャンネル情報及びその位置情報と、各エリアで広域放送サービスを受信している受信機が取得した位置情報に基づいて、そのエリアで視聴できるエリア放送サービスを選別するフィルタリングの機能とを含むエリア放送サービスへの遷移情報を、データ放送に含めて送出し、
受信機は、前記広域放送サービスを受信し、取得した現在位置情報に基づいて、前記遷移情報から現在位置で視聴可能なエリア放送サービスをフィルタリングし、前記現在位置で視聴可能なエリア放送サービスへの遷移をさせるための表示を行うものであって、
前記各エリアの送出装置は、チャンネルスキャンにより空きチャンネルを検出し、
前記広域放送サービスの送出装置は、各エリアで検出された空きチャンネルに基づいて、複数のエリアで共通に使用される共通チャンネルを決定し、
前記各エリアの送出装置は、前記決定された共通チャンネルで、エリア放送サービスを行う
放送方法。
【請求項４】
各エリアの送出装置は、広域放送サービスへの遷移情報を、エリア放送サービスのデータ放送に含めて送信する
請求項３に記載の放送方法。
【発明の詳細な説明】
【技術分野】
【０００１】
本発明は、放送システム、及び放送方法に関する。
【背景技術】
【０００２】
近年、地上デジタル放送やワンセグ（１セグ）放送等、放送のデジタル化が急ピッチで進められている。デジタル放送では、高画質、高音質といった基本サービスの向上に加え、デジタル化によって始めて実現可能となる高度なサービスの活用が期待されている。とくに、データ放送の実現や双方向型サービス、移動体端末向けの放送サービスなど、従来の視聴スタイルとは異なるサービスを活用することにより、今後デジタル放送は放送事業者及び視聴者の双方にとって、極めて有用かつ利便性の高いメディアへと発展していくものと考えられる。
【０００３】
ところで、広域放送サービスなどの一般向けのテレビ放送は、視聴者の幅が非常に広いため、その放送コンテンツは万人受けするような平均的・一般的なものにならざるを得ない。
【０００４】
そこで、近年、広域放送とは異なり、ある一定の狭い範囲のエリアを対照として、そのエリアの情報（例えば、そのエリアにある店舗情報やイベント情報など）を放送するエリア放送サービスが提案されている（例えば、特許文献１）。
【先行技術文献】
【特許文献】
【０００５】
【特許文献１】特許公開２００７−２９５３４１号公報
【発明の概要】
【発明が解決しようとする課題】
【０００６】
ところで、エリア放送サービスが多数行われるようになると、視聴者は現在位置する場所でどのようなエリア放送サービスが視聴できるのか迷う場合が多いと考えられる。特に、複数エリアにおいて、エリア放送サービスなどの新規サービスを視聴するには、視聴者が送信周波数を把握した上で手動による選局または一部対応端末に限ってはmedia;などの技術を用いたwebサイトからの誘導などにより受信チャンネルを設定する必要があり、エリア放送サービスへの視聴誘導が課題であった。
【０００７】
一方、地上デジタル放送のような広域放送サービスは、一般に視聴に慣れており、視聴者が見たいチャンネルを選択することは容易である。
【０００８】
そこで、本発明は上記課題に鑑みて発明されたものであって、その目的は、広域放送サービスからエリア放送サービスへの視聴誘導を効果的にできる技術を提供することにある。
【課題を解決するための手段】
【０００９】
上記課題を解決する本発明は、所定の広域範囲で放送される広域放送サービスと、前記所定の広域範囲内のエリアにおいて、所定のチャンネルでエリア別のエリア放送サービスとが実施されている放送システムにおいて、前記エリアにおいて、所定のチャンネルで前記エリア放送サービスを送出する送出装置と、前記各エリアの送出装置が送出するエリア放送サービスのチャンネル情報と、前記各エリアの位置情報とを関連付け記憶するエリア放送サービスデータベースと、前記広域放送サービスにおいて、前記エリア放送サービスのチャンネル情報及び位置情報とを含むエリア放送サービスへの遷移情報を送出する広域放送サービス送出装置と、前記広域放送サービスを受信し、取得した現在位置情報に基づいて、前記遷移情報から現在位置で視聴可能なエリア放送サービスをフィルタリングし、前記現在位置で視聴可能なエリア放送サービスへの遷移をさせるための表示を行う受信機とを有する放送システムである。
【００１０】
また、上記課題を解決する本発明は、所定の広域範囲で放送される広域放送サービスと、前記所定の広域範囲内のエリアにおいて、所定のチャンネルでエリア別のエリア放送サービスとが実施されている放送システムにおいて、前記各エリアのエリア放送サービスのチャンネル情報と、前記各エリアの位置情報とを関連付け記憶するエリア放送サービスデータベースと、前記広域放送サービスにおいて、前記エリア放送サービスのチャンネル情報及び位置情報とを含むエリア放送サービスへの遷移情報を送出する広域放送サービス送出装置とを有する広域放送サービスシステムである。
【００１１】
上記課題を解決する本発明は、所定の広域範囲で放送される広域放送サービスと、前記所定の広域範囲内のエリアにおいて、所定のチャンネルでエリア別のエリア放送サービスとが実施されている放送システムにおける放送方法おいて、前記広域放送サービスから、前記エリア放送サービスのチャンネル情報及びその位置情報とを含むエリア放送サービスへの遷移情報を送出し、受信機は、前記広域放送サービスを受信し、取得した現在位置情報に基づいて、前記遷移情報から現在位置で視聴可能なエリア放送サービスをフィルタリングし、前記現在位置で視聴可能なエリア放送サービスへの遷移をさせるための表示する放送方法である。
【発明の効果】
【００１２】
本発明によれば、広域放送サービスからエリア放送サービスへの視聴誘導を効果的に達成できる。
【図面の簡単な説明】
【００１３】
【図１】図１は実施の形態の概要の構成を示した図である。
【図２】図２は、送信管理装置２と、送出データ生成装置３と、広域放送装置４とのブロック図である。
【図３】図３はエリア放送サービスデータベース２１に記憶されている情報の一例を示した図である。
【図４】図４はデータ放送のプログラムの一例を示した図である。
【図５】図５はデータ放送のプログラムの一例を示した図である。
【図６】図６はデータ放送のプログラムの一例を示した図である。
【図７】図７は送信装置１のブロック図である。
【図８】図８は受信機５のブロック図である。
【図９】図９は第１の実施の形態の動作を説明するための図である。
【図１０】図１０は第２の実施の形態の概略図である。
【図１１】図１１は第２の実施の形態における各エリアの送信装置１のブロック図である。
【図１２】図１２は第２の実施の形態における送信管理装置２のブロック図である。
【図１３】図１３は共通チャンネル決定部２２の共通チャンネルの決定の動作を説明するための図である。
【発明を実施するための形態】
【００１４】
本発明の実施の形態を説明する。
＜第１の実施の形態＞
まず、実施の形態の概要の構成を、図１を用いて説明する。
【００１５】
本実施の形態の放送サービスシステムは、広域放送サービス（例えば、地上デジタル放送における広域ワンセグ放送）と、特定の地域（エリア）を放送対象とするエリア放送サービス（例えば、エリアワンセグ放送）とのふたつのサービスからなる。
【００１６】
広域放送サービスは、通常、地上デジタル放送であり、都道府県やこれを跨ぐ広いエリアでの受信を対象としている。一方、エリア放送サービスは、例えば、エリアのイベント情報や店舗情報等のエリアに密着した情報（以下、エリア情報という）を放送するという観点から、受信可能エリアが狭い範囲に限られている。
【００１７】
図１に示される放送サービスシステムでは、エリア１からエリアＮを含む範囲でひとつの広域放送サービスが行われており、エリア１からエリアＮの各エリアで、それぞれ、送信装置１により、エリア放送サービスが行われている。
【００１８】
また、本放送サービスシステムを管理・運営する装置として、放送サービスシステムは、送信管理装置２と、送出データ生成装置３と、広域放送装置４とを備える。
【００１９】
図２は、送信管理装置２と、送出データ生成装置３と、広域放送装置４とのブロック図である。
【００２０】
送信管理装置２は、エリア放送サービスデータベース２１を有し、エリア１からエリアＮの位置情報と、そのエリアにおける地域放送サービスの送信チャンネル（送信周波数）を一括で管理している。エリア放送サービスデータベース２１に記憶されている情報の一例を図３に示す。図３に示されるエリア放送サービスデータベース２１は、エリア放送サービスを識別するエリア放送サービス識別子と、エリア放送サービスが行われているエリアを特定する位置情報（例えば、一定の範囲を持つ緯度経度の座標情報）と、エリア放送サービスの送信チャンネルとが対応付けられて記憶されている。例えば、エリア放送サービス識別子がエリア１は、放送エリアの位置情報が（Ａ，Ｂ）、送信チャンネルが１９ｃｈであることを示している。
【００２１】
送出データ生成装置３は、データ放送生成部３１と、映像・音声生成部３２と、コンテンツ生成部３３とを有する。
【００２２】
データ生成部３１は、広域放送サービスのデータ放送のデータを生成する。このデータ放送のプログラムには、エリア放送サービスデータベース２１からのエリア放送サービス識別子、位置情報及びエリア放送サービスの送信チャンネルに基づいて、例えば、X_DPA_tunewithRF()関数等のデータ放送の関数を用いて、広域放送サービスから各エリアで放送されているエリア放送サービスへの遷移情報が記述される。また、この遷移情報には、各エリアで広域放送サービスを受信している受信機５が取得した位置情報に基づいて、そのエリアで視聴できるエリア放送サービスを選別するフィルタリングの機能も有する。具体的なデータ放送のプログラムの一例を図４から図６に示す。図４から図６は、受信機５で取得された位置情報に基づいて、そのエリアで視聴できるエリア放送サービスを選別するＢＭＬの例である。尚、受信機５で位置情報を取得するプログラムについては、公知の技術なので省略する。
【００２３】
映像・音声生成部３２は、広域放送サービスの映像・音声を生成する。
【００２４】
コンテンツ多重部３３は、データ生成部３１で生成されたデータ放送と、広域放送サービスの映像・音声とを多重して、広域放送サービスのデータを生成する。
【００２５】
広域放送装置４は、変調部４１と、アンプ４２とを有する。コンテンツ生成部３３で生成された広域放送サービスのデータは、変調部４１により変調され、アンプ４２で増幅されて放送される。
【００２６】
次に各エリアの送信装置１からＮを説明する。図７は送信装置１のブロック図である。
【００２７】
エリアの送信装置１は、データ放送生成部１１と、コンテンツ取得部１２と、コンテンツ多重部１３と、送信周波数決定部（変調部）１４と、アンプ１５とを有する。
【００２８】
データ放送生成部１１は、エリア放送サービスのデータ放送のデータを生成する。このデータ放送は、エリアのイベント情報や店舗情報等のエリアに密着した情報のデータ放送である。尚、後述するように、このデータ放送の中に、広域放送サービスへの遷移情報を含めて、データ放送の表示画面に広域放送サービスへの遷移ボタン（チャンネル変更）を表示させるようにしても良い。
【００２９】
コンテンツ取得部１２は、ネットワークや、予め記録媒体に記憶されているエリア放送サービスの映像・音声を取得する。
【００３０】
コンテンツ多重部１３は、データ生成部１１で生成されたデータ放送と、エリア放送サービスのコンテンツとを多重して、エリア放送サービスのデータを生成する。そして、送出装置に割り当てられたチャンネルにより、送信周波数決定部（変調部）１４により変調され、アンプ１５で増幅されて放送される。
【００３１】
次に、受信機５について説明する。図８は受信機５のブロック図である。
【００３２】
受信機５は、復調部５１、映像・音声再生部５２と、データ放送実行部５３と、現在位置検出部５４と、表示部５５とを有する。
【００３３】
復調部５１は受信した広域放送サービスを復調し、映像・音声再生部５２とデータ放送実行部５３とに出力する。
【００３４】
映像・音声再生部５２は、映像・音声を再生して表示部５５に表示する。
【００３５】
現在位置検出部５４は、ＧＰＳ等の機能により、受信機５の現在位置を取得する。
【００３６】
データ放送実行部５３は、広域放送サービスのデータ放送に含まれているプログラムを実行する。その際に、現在位置検出部５４が検出した現在位置に基づいて、エリア放送サービスへの遷移情報について、フィルタリング処理を行い、その結果を表示部５５に表示する。
【００３７】
次に、以上のように構成された放送システムの動作を説明する。
【００３８】
受信機５では、広域放送サービスの放送を受信すると、データ放送画面において、各エリアの送信装置１が送信しているエリア放送サービスのチャンネル遷移情報が表示される。ここで、受信機５が位置している現在位置を取得すると、そのエリアに対応したエリア放送サービスのチャンネル遷移情報のみが表示される。
【００３９】
この遷移の様子を、図９を用いて説明する。
【００４０】
まず、広域放送サービス（図９では、便宜的に２５ｃｈとする）を受信すると、本線側の映像が表示されるとともに、データ放送画面において、エリア放送サービスのチャンネル遷移情報（図９では、エリア放送サービス毎の遷移ボタン１９ｃｈ、３２ｃｈ、３３ｃｈ、５０ｃｈが表示されている）が表示される。ここで、視聴者は視聴を希望するチャンネル遷移情報を選択することにより、直接、エリア放送サービスを受信するようにしてもかまわない。しかし、上述したように、エリア放送サービスは、受信エリアが限定されており、ユーザが現在位置する場所では、視聴ができない場合もある。そこで、受信機５に現在位置を取得させ、受信機５が現在位置する場所（エリア）で視聴可能なエリア放送サービスのみをフィルタリングして、そのチャンネル遷移情報のみを表示する。図９では、取得した位置情報により、現在位置で視聴可能な１９ｃｈが表示されている。
【００４１】
尚、上述した広域放送サービスにおけるデータ放送のように、各エリアの送信管理装置２がエリア放送サービスを放送する際に、広域放送サービスへのチャンネル遷移情報をデータ放送に含めても良い。このような構成にすると、視聴者が地域放送サービスを視聴している場合（図９では、１９ｃｈを視聴している場合）、広域放送サービスへのチャンネル遷移情報（２５ｃｈ）が表示され、地域放送サービスから広域放送サービスへのチャンネル遷移の便宜を図ることもできる。
【００４２】
第１の実施の形態では、広域放送サービスからエリア放送サービスへの視聴誘導を効果的に達成できる。
＜第２の実施の形態＞
第２の実施の形態を説明する。
【００４３】
エリア放送サービスは、通常各エリアに密着したサービスが行われるが、異なる複数のエリアで同一のサービスが行われる場合がある。この場合、それらのエリアは、管理や視聴者の便宜などを考慮すると、同一のチャンネルでエリア放送サービスが行われることが望ましい。
【００４４】
一方、同一サービスが行われていないエリアでは所定チャンネルでエリア放送サービスが行われており、また、広域放送サービスも行われている。
【００４５】
従って、使用されているチャンネルを除き、異なる複数のエリアで同一のエリア放送サービスを行う為の共通する最適なチャンネルを見つけることが必要である。
【００４６】
そこで、第２の実施の形態では、異なる複数のエリアで同一のエリア放送サービスを行う為の共通する最適なチャンネルを見つける例を説明する。
【００４７】
第２の実施の形態では、各エリアの送信装置１がそのエリアの空きチャンネルを検出し、その空きチャンネルの情報や、そのチャンネルの送信出力ゲインなどの情報を、送信管理装置２に送信する。そして、送信管理装置２では、各エリアの送信装置１から得られた情報に基づいて、異なる複数のエリアで同一のエリア放送サービスを行う為の共通する最適なチャンネルを決定する。
【００４８】
図１０は第２の実施の形態の概略図である。図１０に示す如く、各エリアの送信装置１と送信管理装置２とはネットワーク６を介して接続されており、各エリアの送信装置１と送信管理装置２とは情報の送受信ができるように構成されている。
【００４９】
以下、各部の構成及び動作を説明する。
【００５０】
図１０は、第２の実施の形態における各エリアの送信装置１のブロック図である。
【００５１】
第２の実施の形態における送信装置１は、第１の実施の形態に加えて、自エリア周波数取得部１６と、アンテナ特性取得部１７と、エリア情報設定部１８とを有する。
【００５２】
自エリア周波数取得部１６は、チャンネルを走査し、NIT内network_idと、そのチャンネルの受信電界強度とを検出する。
【００５３】
アンテナ特性取得部１７は、自送信装置１のアンテナ特性を取得する。
【００５４】
エリア情報設定部１８は、取得した自エリアのチャンネル情報と、自送信装置１のアンテナ特性とを送信管理装置２に、ネットワーク６を介して送信する。また、送信管理装置２が決定したチャンネル周波数を受信する。
【００５５】
次に、送信管理装置２を説明する。
【００５６】
図１２は第２の実施の形態における送信管理装置２のブロック図である。
【００５７】
第２の実施の形態における送信装置１は、第１の実施の形態に加えて、共通チャンネル決定部２２を有する。
【００５８】
図１３は共通チャンネル決定部２２の共通チャンネルの決定の動作を説明するための図である。図１３はエリア１からエリア３におけるチャンネル情報の分布を示しており、横軸が周波数（チャンネル）であり、縦軸が各チャンネルの受信電界強度の逆数を正規化した数値（以下、グレードと記載する）である。そして、共通チャンネル決定部２２は、そのチャンネル情報の分布、各送出装置のアンテナ特性曲線、及び一般的な受信機の受信アンテナ特性曲線を確率的に統合し、最も適した共通チャンネルを決定する。図１３では、中央の２３ｃｈが最も適した共通チャンネルとして決定される。
【００５９】
このように決定された共通チャンネルは、各エリアの送信装置１にネットワーク６を介して送信されると共に、エリア放送サービスデータベース２１に登録される。
【００６０】
各エリアの送信装置１のエリア情報設定部１８は、送信管理装置２から決定された共通チャンネルを受信し、送信周波数決定部（変調部）１４の送信チャンネル（送信周波数）を設定する。
【００６１】
これにより、共通のエリア放送サービスを行うエリアで、共通のチャンネルを用いてエリア放送サービスを行うことができる。
【００６２】
尚、上述した例では、各エリアの送信装置１が取得した情報を、送信管理装置２が収集して送信管理装置２が共通のチャンネルを決定する例を説明した。しかし、各エリアの送信装置１が同一の共通のチャンネルを決定するアルゴリズムを持ち、送信管理装置２が収集した情報を、各エリアの送信装置１に送信し、各エリアの送信装置１が同一の共通のチャンネルを決定するように構成しても良い。
【符号の説明】
【００６３】
１      送信装置
２      送信管理装置
３      送出データ生成装置
４      広域放送装置
５      受信機
６      ネットワーク
【図１】
0005729804.tif 000002
【図２】
0005729804.tif 000003
【図３】
0005729804.tif 000004
【図４】
0005729804.tif 000005
【図５】
0005729804.tif 000006
【図６】
0005729804.tif 000007
【図７】
0005729804.tif 000008
【図８】
0005729804.tif 000009
【図９】
0005729804.tif 000010
【図１０】
0005729804.tif 000011
【図１１】
0005729804.tif 000012
【図１２】
0005729804.tif 000013
【図１３】
0005729804.tif 000014